(57)【要約】【課題】  本発明は、株主総会において受付作業を効率的に行うことができる株主総会出席票を提供することを目的とする。【解決手段】株主総会に来場した株主Ｐと関連付けるための紙材からなる株主総会出席票１である。株主総会出席票である旨２３と所定の識別番号２４が印刷された出席票本体２と、識別番号３２およびバーコード情報３３が印刷された出席票小札３とからなる。出席票本体２の周縁部に出席票小札３が切り取り可能な状態で設けられ、該出席票小札３は表面にラミネート加工が施されるとともに、裏面に紙材に接着可能な接着部３４が設けられている。【選択図】図１
2011016289.tif 000002
【特許請求の範囲】
【請求項１】
株主総会に来場した株主と関連付けるための紙材からなる株主総会出席票であって、
少なくとも株主総会出席票である旨と所定の識別番号が印刷された出席票本体と、
該識別番号および／または識別番号に関連付けられた情報が印刷された出席票小札とからなり、
前記出席票本体の周縁部に出席票小札が切り取り可能な状態で設けられ、該出席票小札は少なくとも表面にラミネート加工が施されるとともに、裏面に紙材に接着可能な接着部が露出された状態で設けられていることを特徴とする株主総会出席票。
【請求項２】
前記出席票本体と出席票小札の境界部分の両側に切り欠き部が形成されている請求項１に記載の株主総会出席票。
【請求項３】
前記出席票小札の接着部は、所定間隔を空けて縦方向および横方向に並んで配置されている複数の小径の接着部からなる請求項１または請求項２に記載の株主総会出席票。
【請求項４】
前記出席票小札の周縁部に接着不可能な空白部が設けられている請求項１から請求項３のいずれかに記載の株主総会出席票。
【請求項５】
前記出席票本体は、出席票小札が設けられている片側一辺部の表面のみにラミネート加工が施されている請求項１から請求項４のいずれかに記載の株主総会出席票。
【請求項６】
前記出席票本体は、縦に細長く形成されている請求項１から請求項５のいずれかに記載の株主総会出席票。
【請求項７】
前記出席票本体は、議決権などの株主の権利を行使するための投票券が切り取り可能な状態で設けられている請求項１から請求項６のいずれかに記載の株主総会出席票。
【請求項８】
前記出席票本体は、会社の商品と引き替えたり、会社の商品の割引を受けるなどの優待が受けられる優待券が切り取り可能な状態で設けられている請求項１から請求項７のいずれかに記載の株主総会出席票。
【発明の詳細な説明】
【技術分野】
【０００１】
本発明は、株主総会に来場した株主と関連付けるための株主総会出席票に関するものである。
【背景技術】
【０００２】
株主総会とは、株式会社の機関の一つであり、株主を構成員とし、会社の基本的な方針や重要な事項を決定する。株主は実質的な会社の所有者であり、株主総会は会社の最高機関である。従来、株券を所有し配当を得るだけの株主が多く、株主総会はほとんど形骸化している場合が多かった。
【０００３】
しかしながら、近年、会社法の改正も相俟って、株主が本来の役割を実現するために株主総会に出席する場合が多くなっている。特に株式投資ブームにより個人の株式投資家が増大し、株主総会に多くの株主が出席するようになっている。
【０００４】
このため株主総会に出席した株主を管理する必要性が増し、この道具の一つとして株主総会出席票が知られている。この株主総会出席票は、少なくとも株主総会出席票である旨と所定の識別番号が印刷された出席票本体と、該識別番号やバーコード情報が印刷された出席票小札とからなる。
【０００５】
そして、株主総会に来場した株主が、当該会社から事前に送られてきた事前に議決権行使書等を会場の受付担当者に渡すと、受付担当者は出席票本体から出席票小札をミシン線に沿って手で引きちぎるようにして切り取る。また、受付担当者は、出席票本体を株主に渡すとともに、出席票小札を議決権行使書等にホッチキス（登録商標）により止めて受付作業を行っていた。これにより会社側としては、どの株主が来場したのかを把握でき、また株主と識別番号を紐付けすることができる。ちなみに、この株主総会出席票に類似するものとして、特許文献１に記載の入場票がある。ただ、これは入場票を切り取って議決権行使書等に貼り付けるのではなく、逆に議決権行使書等を切り取って入場票に貼り付けるタイプのものである。
【先行技術文献】
【特許文献】
【０００６】
【特許文献１】特開２００７−２６５２９８号公報
【発明の概要】
【発明が解決しようとする課題】
【０００７】
しかしながら、受付担当者は切り取った出席票小札を議決権行使書等にホッチキスにより止めたり、あるいはシールを剥がして付けたりするなど、作業が繁雑であり効率的でないという問題があった。もとより、ホッチキス止めを早く行おうとすると、出席票小札が議決権行使書等に傾いた状態で止められるなどして見栄えが悪いものであった。このため特に何百人以上も株主が来場する大手企業の株主総会においては、株主１人１人の作業に手間取ることにより全体として受付作業が滞ってしまうものであった。
【０００８】
本発明は、上述の問題に鑑みてなされたものであって、株主総会において受付作業を効率的に行うことができる株主総会出席票を提供することを目的とする。
【課題を解決するための手段】
【０００９】
本発明は、上述の目的を達成するために、株主総会に来場した株主と関連付けるための紙材からなる株主総会出席票であって、少なくとも株主総会出席票である旨と所定の識別番号が印刷された出席票本体と、該識別番号および／または識別番号に関連付けられた情報が印刷された出席票小札とからなり、前記出席票本体の周縁部に出席票小札が切り取り可能な状態で設けられ、該出席票小札は少なくとも表面にラミネート加工が施されるとともに、裏面に紙材に接着可能な接着部が露出された状態で設けられていることを特徴とする。なお、株主総会出席票は、単に出席票と呼ばれたり、あるいは株主総会入場票や入場票などの別名で呼ばれることがあるが、同構成のものは全て同一ものである。これによれば、株主総会に来場した株主が、当該会社から事前に送られてきた議決権行使書等を会場の受付担当者に渡すと、受付担当者は出席票本体から出席票小札を手で引きちぎるようにして切り取る。そして、受付担当者は、出席票本体を株主に渡すとともに、出席票小札を議決権行使書等に接着部によりそのまま接着することができる。
【００１０】
また、前記出席票本体と出席票小札の境界部分の両側に切り欠き部が形成されていてもよい。これによれば出席票本体から出席票小札を切り取るときに当該切り欠き部に応力が集中するため、出席票本体および出席小札の境界線に沿ってきれいに平行に切り取ることができる。
【００１１】
また、前記出席票小札の接着部は、所定間隔を空けて縦方向および横方向に並んで配置されている複数の小径の接着部からなるものであってもよい。これによれば出席票小札のほぼ全体に接着部を設けながらも接着面積が少なくなり、出席票小札が必要以上に接着することを防止できる。このため、万一、議決権行使書等に出席票小札を傾いた状態で接着したり、あるいは議決権行使書等の誤った箇所に出席票小札を接着した場合、議決権行使書等から出席票小札を剥がして再度貼り直すことが容易になる。
【００１２】
また、前記出席票小札の周縁部に接着不可能な空白部が設けられていてもよい。これによれば出席票小札を議決権行使書等に貼り付けた場合、出席票小札の周囲部は議決権行使書に接着していない状態となる。このため、万一、議決権行使書等に出席票小札を傾いた状態で接着したり、あるいは議決権行使書等の誤った箇所に出席票小札を接着した場合、出席票小札の周囲部と議決権行使書等の間に手の爪を挿入しながら摘むことにより、議決権行使書等から出席票小札を剥がして再度貼り直すことが容易となる。
【００１３】
また、前記出席票本体は、出席票小札が設けられている片側一辺部の表面のみにラミネート加工が施されるものであってもよい。これによれば、株主総会出席票を重ね合わせて置いたとき、仮に株主総会出席票が隣り合うものより少しばかりずれても、出席票本体の片側一辺部にもラミネート加工が施されているため、隣り合う株主総会出席票の出席票小札と出席票本体が接着することを防止できる。しかも、本体の片側一辺部を除く大部分は通常のラミネート加工が施されていないため、会社の受付印などを押印することができる。
【００１４】
また、前記出席票本体は、縦に細長く形成されていてもよい。これによれば株主総会出席票を衣服の胸ポケットに入れて、識別番号などの所定の情報がポケットから露出した状態で携行することができる。
【００１５】
また、前記出席票本体は、議決権などの株主の権利を行使するための投票券が切り取り可能な状態で設けられてもよい。これによれば株主総会において株主は出席票本体から投票券を切り取ることにより、議決権などの株主の権利を簡単に行使することができる。
【００１６】
また、前記出席票本体は、会社の商品と引き替えたり、会社の商品の割引を受けるなどの優待が受けられる優待券が切り取り可能な状態で設けられてもよい。これによれば株主は出席票本体から優待券を切り取ることにより、会社の商品と引き替えたり、会社の商品を割引で購入するなどの優待を簡単に受けることができる。
【発明の効果】
【００１７】
本発明によれば、株主総会に来場した株主が、当該会社から事前に送られてきた議決権行使書等を会場の受付担当者に渡すと、受付担当者は出席票本体から出席票小札を手で引きちぎるようにして切り取る。そして、受付担当者は、出席票本体を株主に渡すとともに、出席票小札を議決権行使書等に接着部によりそのまま接着することができる。このため、ホッチキスで止めたり、あるいはシールを剥がして付けることなくなるため、株主総会における受付作業を効率的に行うことが可能となる。
しかも、少なくとも小札の表面はラミネート加工が施されているため、株主総会出席票を重ね合わせて置いたりしても出席票小札同士が接着しないか、あるいは軽く接着しても簡単に剥がすことができる。
【図面の簡単な説明】
【００１８】
【図１】本発明の一実施形態に係る株主総会出席票の正面図である。
【図２】図１の株主総会出席票の背面図である。
【図３】図１の株主総会出席票を株主の首に掛けた状態の斜視図である。
【図４】第２の実施形態に係る株主総会出席票の正面図である。
【図５】第３の実施形態に係る株主総会出席票の正面図である。
【図６】第４の実施形態に係る株主総会出席票の正面図である。
【図７】第５の実施形態に係る株主総会出席票の正面図である。
【発明を実施するための形態】
【００１９】
［実施形態１］
【００２０】
次に本発明の一実施形態について図１〜図３を参照しつつ説明する。
【００２１】
図１は、本実施形態に係る株主総会出席票（以下、本出席票という）の正面図である。
【００２２】
この本出席票１は、紙材の出席票本体２と出席票小札３を備え、出席票本体の下部中央部において出席票小札３がミシン線４に沿って切り取り可能な状態で設けられている。
【００２３】
前記出席票本体２は、会社名２１、株主総会の回数と種類（第８３回定時株主総会）２２、本出席票１である旨（御出席票）２３、識別番号２４、株主総会の説明文２５がそれぞれ印刷されている。これらは本実施形態における一例であり、それらの記載の順番が前後したり、それらの記載のいずれか（但し、識別番号を除く）が印刷されていなかったり、その他の記載が印刷されていてもよい。但し、株主総会の出席票であることがわかり、それに株主Ｐを識別するための識別番号２４が印刷されている必要がある。
【００２４】
また、前記出席票本体２は、上部に長円状の挿通孔２６が穿設されており、該挿通孔２６に紐５が環状に挿通される。これにより図３に示すように株主Ｐは本出席票１を首からぶら下げることが可能となる。なお、本実施形態では紐５を使用しているが、ストラップなどのその他の部材を使用してもよい。
【００２５】
前記出席票小札３は、株主総会の回数と種類（第８３回株主総会）３１、株主Ｐを識別するための識別番号３２、該識別番号３２に関連づけられたバーコード情報３３が印刷されている。これらは本実施形態における一例であり、それらの記載の順番が前後したり、株主総会の回数と種類が印刷されていなかったり、あるいは識別番号３２またはバーコード情報３３のいずれかのみが印刷されていてもよい。
【００２６】
前記出席票本体２と出席票小札３との境界部分には、いわゆるミシン線４が形成されており、出席票本体２から出席票小札３を手で引きちぎることによりミシン線４に沿って平行に切り取ることができるようになっている。
【００２７】
特に本実施形態では、出席票本体２と出席票小札３の境界部分の両側に切り欠き部６が形成されている。仮に切り欠き部がない場合には最初の引きちぎる動作が悪いと、出席票小札３がミシン線４に沿わないで切り取られるおそれがある。しかし、このように切り欠き部が形成されると、出席票本体２から出席票小札３を切り取るときに当該切り欠き部に応力が集中するため、出席票本体２および出席小札の境界部分のミシン線４に沿ってきれいに平行に切り取ることができる。
【００２８】
前記出席票本体２と出席票小札３の表面にラミネート加工７が施されている。このラミネート加工７は従来の手法によるものであり、紙材からなる出席票本体２と出席票小札３の表面全体に施されている。なお、ラミネート加工７は無色透明の素材が使用されている。
【００２９】
また、出席票小札３の裏面に紙材に接着可能な接着部３４が露出された状態で設けられている。この接着部３４は、株主総会の議決権行使書等の紙類には十分接着されるが、ラミネート加工７上ではほとんど接着されないか、あるいは接着されても容易に剥がすことができる既存の接着成分で構成されている。このため本出席票１を重ねたとしても出席票小札３は下側の本出席票１に接着することを防止できる。
【００３０】
なお、議決権行使書等は、図示を省略しているが、例えばハガキタイプのものがあり、会社から株主に事前に送られてくるものである。議決権行使書等は一般に紙材からなり、株主が株主総会に来場したときに議決権行使書等を会場の受付担当者に渡して、その代わりに本出席票１が株主に手渡される。
【００３１】
また、本実施形態では、この接着部３４は、図２に示すように、所定間隔を空けて縦方向および横方向に並んで配置されている複数の小径の接着部３４ａ、・・・からなる。これによれば出席票小札３のほぼ全体に接着部３４を設けながらも接着面積が少なくなり、出席票小札３が必要以上に接着することを防止できる。このため、万一、議決権行使書等に出席票小札３を傾いた状態で接着したり、あるいは議決権行使書等の誤った箇所に出席票小札３を接着した場合、議決権行使書等から出席票小札３を剥がして再度貼り直すことが容易になる。
【００３２】
また、前記出席票小札３の周縁部に接着不可能な空白部３５が設けられている。これによれば出席小札を議決権行使書に貼り付けた場合、出席票小札３の周囲部は議決権行使書に接着していない状態となる。このため、万一、議決権行使書等に出席票小札３を傾いた状態で接着したり、あるいは議決権行使書等の誤った箇所に出席票小札３を接着した場合、出席票小札３の周囲部と議決権行使書等の間に手の爪を挿入しながら摘むことにより、議決権行使書等から出席票小札３を剥がして再度貼り直すことが容易となる。
【００３３】
而して、株主総会に来場した株主Ｐが、当該会社から事前に送られてきた議決権行使書等を会場の受付担当者に渡すと、受付担当者は出席票本体２から出席票小札３を手でちぎるようにして切り取る。そして、受付担当者は、出席票本体２を株主Ｐに渡すとともに、出席票小札３を議決権行使書等に接着部３４によりそのまま接着することができる。このため、ホッチキスで止めたり、あるいはシールを剥がして付けることなくなるため、株主総会における受付作業を効率的に行うことが可能となる。
【００３４】
なお、本実施形態では、出席票本体２と出席票小札３の境界部分の両側に切り欠き部が形成したが、形成しないものとしてもよい。
【００３５】
また、出席票小札３の接着部３４は複数の小径の接着部３４ａ、・・・からなるものとしたが、出席票小札３にべた塗りした接着部３４であってもよい。
【００３６】
また、出席票小札３の周囲部に接着不可能な空白部３５を設けたが、当該部分にも接着部３４を設けるものとしてもよい。
【００３７】
また、本出席票１の表面にラミネート加工７を施すものとしたが、さらに裏面にもラミネート加工７を施してもよい。
【００３８】
［実施形態２］
【００３９】
次に本発明の第２の実施形態について図４を参照しつつ説明する。なお、実施形態１と同一のものについては同一の符号を付し、その説明を省略する。
【００４０】
図４は、本実施形態に係る本出席票１の正面図である。
【００４１】
この本出席票１は、出席票小札３が設けられている片側一辺部（本実施形態では出席票小札の下側一辺部）の表面のみにラミネート加工７が施されている。なお、説明の便宜上、ラミネート加工７が施されている部分には図４の斜線で示しているが、実際には無色透明のものである。
【００４２】
これにより、本出席票１を重ね合わせて置いたとき、仮に本出席票１が隣り合うものより少しばかりずれても、出席票本体２の片側一辺部にもラミネート加工７が施されているため、隣り合う本出席票１の出席票小札３と出席票本体２が接着することを防止できる。しかも、出席票本体２の片側一辺部を除く大部分は通常のラミネート加工７が施されていないため、会社の受付印などを押印することができる。
【００４３】
［実施形態３］
【００４４】
次に本発明の第３の実施形態について図５を参照しつつ説明する。なお、実施形態１と同一の機能のものについては同一の符号を付し、その説明を省略する。
【００４５】
図５は、本実施形態に係る本出席票１の正面図である。
【００４６】
この本出席票１は、主席票本体が縦に細長くなるように形成されている。これにより、本出席票１を衣服の胸ポケットに入れて、識別番号などの所定の情報がポケットから露出した状態で携行することができる。
【００４７】
［実施形態４］
【００４８】
次に本発明の第４の実施形態について図６を参照しつつ説明する。
【００４９】
図６は、本実施形態に係る本出席票１の正面図である。
【００５０】
この本出席票１は、出席票本体２に議決権などの株主Ｐの権利を行使するための投票券８が切り取り可能な状態で設けられている。この投票券８には、出席票本体２と同じ識別番号８１とバーコード情報８２が印刷されており、互いに関連づけられている。
【００５１】
これにより、株主総会において株主Ｐは出席票本体２から投票券８を切り取ることにより、議決権などの株主Ｐの権利を簡単に行使することができる。
【００５２】
［実施形態５］
【００５３】
次に本発明の第５の実施形態について図７を参照しつつ説明する。
【００５４】
図７は、本実施形態に係る本出席票１の正面図である。
【００５５】
この本出席票１は、出席票本体２に会社の商品と引き替える優待が受けられる優待券９が切り取り可能な状態で設けられている。より具体的には、会社名９１、株主優待パン引換券の旨９２、有効期限９３、説明文９４が印刷されている。
【００５６】
これにより、株主Ｐは出席票本体２から優待券９を切り取ることにより、会社の商品と引き替える優待を簡単に受けることができる。
【００５７】
なお、本実施形態では、会社の商品と引き替える優待としたが、会社の商品の割引を受けるなど、その他の優待であってもよい。
【符号の説明】
【００５８】
１・・・本出席票
２・・・出席票本体
３・・・出席票小札
４・・・ミシン線
５・・・首紐
６・・・切り欠き部
７・・・ラミネート加工
８・・・投票券
９・・・優待券
【図１】
2011016289.tif 000003
【図２】
2011016289.tif 000004
【図３】
2011016289.tif 000005
【図４】
2011016289.tif 000006
【図５】
2011016289.tif 000007
【図６】
2011016289.tif 000008
【図７】
2011016289.tif 000009